(57)【要約】【課題】設定値の手動入力の手間を省くことによる作業効率の向上と、入力ミスの低減を図ることでデータの信頼性の向上が図れるようにする。【解決手段】設定読取センサ３にて実際に設定されている設定値を読み取り、それを保存して表示する。これにより、指示者が予めホールコンピュータ７に入力しておいた設定値と、設定読取センサ３にて読み取った実際に設定されている設定値とを照合し、これらが一致しているか否かを確認することが可能となる。このため、指示者が実際に設定されている設定値を１つ１つ手動入力しなくても、設定者が実際に入力した設定値を確認したり、設定者が設定値を調整した後に不正により設定値が変更されたような場合にも、その設定値変更を確認することが可能となる。【選択図】図１
2008161263.tif 000002
【特許請求の範囲】
【請求項１】
複数のスロットマシン（１）にそれぞれ取り付けられ、前記スロットマシン（１）の設定値を検出する設定読取センサ（３）と、
前記設定読取センサ（３）が検出した設定値に関するデータを含む電気信号を取得する第１手段（６）と、
前記電気信号に含まれた前記設定値に関するデータから、前記設定値を取得し、前記複数のスロットマシン（１）の台番と対応付けて前記設定値を保存すると共にそれを表示する第２手段（７、２０）と、を備えていることを特徴とするスロットマシン設定値管理システム。
【請求項２】
前記設定読取センサ（３）は、前記スロットマシン（１）に備えられた設定値表示器（１２）に伝えられる前記設定値を示す電気信号を読み取り、前記設定値を示す電気信号から読み取った前記設定値と対応したパルス数の電気信号を前記設定値に関するデータを含む電気信号として出力することを特徴とする請求項１に記載のスロットマシン設定値管理システム。
【請求項３】
前記設定読取センサ（３）は、前記設定値に加えて、前記設定値表示機（１２）への前記電気信号の入力が開始された電源ＯＮ、前記電気信号の入力が停止された電源ＯＦＦ、前記電源ＯＮと前記電源との切り替わりのタイミングに行われる設定確認、該設定読取センサ（３）に電源が投入されたときに正確に起動しない電源エラー、該設定読取センサ（３）に前記設定値を示す電気信号が入力されているものの該読取センサ（３）の故障により前記設定値の読み取りが行えないセンサエラー、該設定読取センサ（３）が故障していないときに前記設定値の読み取りが行えない読取エラーの少なくとも１つが発生したことを前記設定値を示す電気信号に基づいて検出し、前記設定値と対応したパルス数とは異なるパルス数の電気信号を前記設定値に関するデータを含む電気信号として出力することを特徴とする請求項２に記載のスロットマシン設定値管理システム。
【請求項４】
前記第２手段（７、２０）は、前記電気信号に含まれた前記設定値に関するデータに相当する前記パルス数に基づき、前記電源ＯＮ、前記電源ＯＦＦ、前記設定確認、前記設定値の変更、前記電源エラー、前記センサエラー、前記読取エラーという内容の異常が発生する毎に、発生事実、発生回数および発生内容を前記複数のスロットマシン（１）それぞれの台番と対応付けて保存しておく保存手段（１１０、１２０、１３０、１３５、１５０、１６０、１７０、１８０）を有していることを特徴とする請求項３に記載のスロットマシン設定管理システム。
【請求項５】
前記第２手段（７、２０）は、前記保存手段にて、前記電源ＯＮ、前記電源ＯＦＦ、前記設定確認、前記設定値の変更、前記電源エラー、前記センサエラー、前記読取エラーの発生日時も記憶することを特徴とする請求項４に記載のスロットマシン設定管理システム。
【請求項６】
前記第２手段（７、２０）は、前記保存手段の保存内容に基づき、前記設定読取センサ（３）が検出した現在の設定値を表示すると共に、該現在の設定値よりも以前に設定されていた設定値を変更履歴として表示することを特徴とする請求項５に記載のスロットマシン設定管理システム。
【請求項７】
前記第２手段（７、２０）は、前記保存手段の保存内容に基づき、前記異常発生の回数を表示することを特徴とする請求項６に記載のスロットマシン設定管理システム。
【請求項８】
前記第２手段（７、２０）は、前記保存手段の保存内容に基づき、参照情報として、前日の設定値を表示すると共に、該前日の設定値よりも以前に設定されていた設定値を変更履歴として表示することを特徴とする請求項６または７に記載のスロットマシン設定管理システム。
【請求項９】
前記第２手段（７、２０）は、前記保存手段の保存内容に基づき、参照情報として、前々日の設定値を表示すると共に、該前々日の設定値よりも以前に設定されていた設定値を変更履歴として表示することを特徴とする請求項８に記載のスロットマシン設定管理システム。
【請求項１０】
前記第２手段（７、２０）は、予め設定すべき前記複数のスロットマシン（１）それぞれの設定値を記憶する予定設定値記憶手段（２００、３００）を有し、該予定設定値記憶手段（２００、３００）に記憶された設定すべき前記設定値と、前記設定読取センサ（３）が検出した設定値に関するデータを含む電気信号に示された前記設定値とが一致するか否かを照合する照合手段（２１０、３１０）を有していることを特徴とする請求項４ないし９のいずれか１つに記載のスロットマシン設定管理システム。
【請求項１１】
前記第２手段（７、２０）は、前記予定設定値記憶手段（２００、３００）に記憶された設定すべき前記設定値と、前記設定読取センサ（３）が検出した設定値に関するデータを含む電気信号に示された前記設定値とを表示すると共に、前記設定値に関するデータを含む電気信号に示された前記設定値が変更されたときには、該設定値変更が行われたときの異常内容を時系列的に表示することを特徴とする請求項１０に記載のスロットマシン設定管理システム。
【請求項１２】
前記第２手段は、店舗に備えられたホールコンピュータ（７）であり、該ホールコンピュータ（７）に前記照合手段（２１０、３１０）が備えられていることを特徴とする請求項１０または１１に記載のスロットマシン設定管理システム。
【請求項１３】
前記第２手段は、本部に備えられた通信システム（２０）と店舗に備えられたホールコンピュータ（７）を含み、前記通信システム（２０）に前記照合手段が備えられており、前記通信システム（２０）に設定すべき前記設定値のデータを入力したのち、該データを設定指示データとして前記ホールコンピュータ（７）に送信し、前記ホールコンピュータ（７）において前記設定読取センサ（３）が検出した設定値に関するデータを含む電気信号に示された前記設定値を取得したのち、該設定値のデータを前記通信システム（２０）で受信し、前記通信システム（２０）にて前記照合を行うことを特徴とする請求項１０または１１に記載のスロットマシン設定管理システム。
【発明の詳細な説明】
【技術分野】
【０００１】
本発明は、スロットマシンにおける設定値の管理を行うスロットマシン設定値管理システムに関するものである。
【背景技術】
【０００２】
従来より、スロットマシンでは、１〜６に段階的に設定された設定値を調整することでボーナスゲームの確率が変えられるようになっている。このため、スロットマシンの設定値の管理は、店舗（パチンコ・スロット遊技ホール）側としては、直接売り上げ、利益に繋がるデータ管理として非常に重要である。また、同様に、スロットマシンの設定値が不正に変更される等、意図しない設定値の変更が為された場合には、それの早期発見が重要となる（例えば、特許文献１参照）。そして、このような早期発見が、営業時間中のみならず営業時間外においても重大な監視になると言える。
【特許文献１】特開２００４−９７３３４号公報
【発明の開示】
【発明が解決しようとする課題】
【０００３】
しかしながら、従来では、このスロットマシンの設定値の管理は、各スロットマシンの設定値を調整したのち、店舗側のホストコンピュータ内に手動入力し、その入力したデータが予めホストコンピュータに入力しておいた設定値と一致するか否かを照合することにより行っている。このため、設定値を調整した後にその設定値を手動入力する手間が掛かって人的労力が大きいし、入力ミスも発生し得るという問題がある。また、スロットマシンの設定値の変更を営業時間中や営業時間外のいずれのときにも、言わば２４時間監視することができない。
【０００４】
本発明は上記点に鑑みて、設定値の手動入力の手間を省くことによる作業効率の向上と、入力ミスの低減を図ることでデータの信頼性の向上が図れるようにすることを第１の目的とする。
【０００５】
また、スロットマシンの設定値の変更を営業時間中や営業時間外のいずれのときにも監視できるようにすることを第２の目的とする。
【課題を解決するための手段】
【０００６】
上記目的を達成するため、本発明では、複数のスロットマシン（１）にそれぞれ取り付けられ、スロットマシン（１）の設定値を検出する設定読取センサ（３）と、設定読取センサ（３）が検出した設定値に関するデータを含む電気信号を取得する第１手段（６）と、電気信号に含まれた設定値に関するデータから、設定値を取得し、複数のスロットマシン（１）の台番と対応付けて設定値を保存すると共にそれを表示する第２手段（７、２０）と、を備えていることを特徴としている。
【０００７】
このように、設定読取センサ（３）にて実際に設定されている設定値を読み取り、それを保存して表示するようにしている。これにより、指示者が予め第２手段（７、２０）に入力しておいた設定値と、設定読取センサ（３）にて読み取った実際に設定されている設定値とを照合し、これらが一致しているか否かを確認することが可能となる。このため、指示者が実際に設定されている設定値を１つ１つ手動入力しなくても、設定者が実際に入力した設定値を確認したり、設定者が設定値を調整した後に不正により設定値が変更されたような場合にも、その設定値変更を確認することが可能となる。
【０００８】
例えば、設定読取センサ（３）にて、スロットマシン（１）に備えられた設定値表示器（１２）に伝えられる設定値を示す電気信号を読み取り、設定値を示す電気信号から読み取った設定値と対応したパルス数の電気信号を設定値に関するデータを含む電気信号として出力させることができる。
【０００９】
また、設定読取センサ（３）にて、設定値に加えて、設定値表示機（１２）への電気信号の入力が開始された電源ＯＮ、電気信号の入力が停止された電源ＯＦＦ、電源ＯＮと電源との切り替わりのタイミングに行われる設定確認、該設定読取センサ（３）に電源が投入されたときに正確に起動しない電源エラー、該設定読取センサ（３）に設定値を示す電気信号が入力されているものの該読取センサ（３）の故障により設定値の読み取りが行えないセンサエラー、該設定読取センサ（３）が故障していないときに設定値の読み取りが行えない読取エラーの少なくとも１つが発生したことを設定値を示す電気信号に基づいて検出し、設定値と対応したパルス数とは異なるパルス数の電気信号を設定値に関するデータを含む電気信号として出力させることもできる。
【００１０】
この場合、第２手段（７、２０）は、保存手段（１１０、１２０、１３０、１３５、１５０、１６０、１７０、１８０）にて、電気信号に含まれた設定値に関するデータに相当するパルス数に基づき、電源ＯＮ、電源ＯＦＦ、設定確認、設定値の変更、電源エラー、センサエラー、読取エラーという内容の異常が発生する毎に、発生事実、発生回数および発生内容を複数のスロットマシン（１）それぞれの台番と対応付けて保存しておくことができる。また、第２手段（７、２０）は、保存手段にて、電源ＯＮ、電源ＯＦＦ、設定確認、設定値の変更、電源エラー、センサエラー、読取エラーの発生日時も記憶することができる。
【００１１】
そして、第２手段（７、２０）は、保存手段の保存内容に基づき、設定読取センサ（３）が検出した現在の設定値を表示すると共に、該現在の設定値よりも以前に設定されていた設定値を変更履歴として表示することができる。このような変更履歴を表示することにより、指示者は、設定値がどのように変更されたかを確認することが可能となる。この場合、第２手段（７、２０）は、保存手段の保存内容に基づき、異常発生の回数を表示することもできる。
【００１２】
同様に、第２手段（７、２０）は、保存手段の保存内容に基づき、参照情報として、前日の設定値を表示すると共に、該前日の設定値よりも以前に設定されていた設定値を変更履歴として表示することもできる。さらに、第２手段（７、２０）は、保存手段の保存内容に基づき、参照情報として、前々日の設定値を表示すると共に、該前々日の設定値よりも以前に設定されていた設定値を変更履歴として表示することもできる。
【００１３】
また、第２手段（７、２０）は、予定設定値記憶手段（２００、３００）にて予め設定すべき複数のスロットマシン（１）それぞれの設定値を記憶しておき、照合手段（２１０、３１０）にて予定設定値記憶手段（２００、３００）に記憶された設定すべき設定値と、設定読取センサ（３）が検出した設定値に関するデータを含む電気信号に示された設定値とが一致するか否かを照合することができる。
【００１４】
このような照合を行うことで、一致しないという結果が得られたときには、例えば一致しなかった設定値を強調表示するなどにより、指示者にそれを伝えることが可能となる。
【００１５】
この場合、第２手段（７、２０）は、予定設定値記憶手段（２００、３００）に記憶された設定すべき設定値と、設定読取センサ（３）が検出した設定値に関するデータを含む電気信号に示された設定値とを表示すると共に、設定値に関するデータを含む電気信号に示された設定値が変更されたときに、該設定値変更が行われたときの異常内容を時系列的に表示すると好ましい。
【００１６】
このように、予定設定値記憶手段（２００、３００）に記憶された設定すべき設定値と、設定読取センサ（３）が検出した設定値に関するデータを含む電気信号に示された設定値とを表示することで、指示者によるこれらの比較が容易に行えるようにできる。また、設定値変更が行われたときの異常内容を時系列的に表示することで、仮に、設定値が一致していなかったときに、時系列的に表示された異常内容を確認することで、その異常の発生原因を認識することが可能となる。
【００１７】
具体的には、第２手段を店舗に備えられたホールコンピュータ（７）とすることができる。この場合、ホールコンピュータ（７）に照合手段（２１０、３１０）を備え、ホールコンピュータ（７）にて上記照合を行うことができる。
【００１８】
また、第２手段を本部に備えられた通信システム（２０）と店舗に備えられたホールコンピュータ（７）とすることもできる。この場合、通信システム（２０）に照合手段を備えらておき、通信システム（２０）にて上記照合を行うことができる。すなわち、通信システム（２０）に設定すべき設定値のデータを入力したのち、該データを設定指示データとしてホールコンピュータ（７）に送信し、ホールコンピュータ（７）において設定読取センサ（３）が検出した設定値に関するデータを含む電気信号に示された設定値を取得したのち、該設定値のデータを通信システム（２０）で受信し、通信システム（２０）にて照合を行う。このように、通信システム（２０）にて照合が行われるようにすれば、店舗のホールコンピュータ（７）で照合する場合のように店舗側で照合結果を確認できないようにすることができるため、より設定セキュリティを向上させることが可能となる。
【００１９】
なお、上記各手段の括弧内の符号は、後述する実施形態に記載の具体的手段との対応関係を示すものである。
【発明を実施するための最良の形態】
【００２０】
以下、本発明の実施形態について図に基づいて説明する。なお、以下の各実施形態相互において、互いに同一もしくは均等である部分には、図中、同一符号を付してある。
【００２１】
（第１実施形態）
本発明の第１実施形態について説明する。図１は、本実施形態のスロットマシン設定値管理システムの導入形態を表した模式図である。本実施形態は、店舗スタンドアロン形式に対して本発明の一実施形態を適用したものである。すなわち、図１に示すように、パチンコ店の管理者がスロットマシン１の設定値の指示者Ｐ１となり、設定者Ｐ２に対して具体的な指示を出すことによって設定者Ｐ２にスロットマシン１の設定値の調整を実際に行わせる。そして、スロットマシン１の設定値を読み取り、ホールコンピュータ７側に予め入力しておいた設定値と照合することで、指示者Ｐ１の指示した通りの設定値に調整されているか否かを確認する。
【００２２】
図２は、本実施形態が適用されるパチンコ店におけるスロットマシン設定値管理システムの全体構成を示した図である。以下、この図に基づき本実施形態のスロットマシン設定値管理システムの構成について説明する。
【００２３】
スロットマシン設定値管理システムは、スロットマシン１、各台基板２、設定読取センサ３、補助基板４、島ＣＰＵ５、中継サーバ６、ホールコンピュータ７を有して構成され、これらがＬＡＮを通じて接続された構成とされている。
【００２４】
スロットマシン１は複数あり、パチンコホール内において機種別に並べられ、島と呼ばれる１列のグループ毎に設置されている。各スロットマシン１には、図示しないが投入されたコイン枚数を検出するイン枚数センサ、払い出されたコイン枚数を検出するアウト枚数センサ、ローラ回転もしくはデジタル回転を検出する回転センサ、大当りを検出する大当たりセンサ、確率変動（以下、確変という）を検出する確変センサ等の各種センサが取り付けられており、これら各センサの検出信号が各スロットマシン１に備えられた各台基板２に出力されるようになっている。なお、このスロットマシン１における各種センサは、周知なものであり、かつ、本発明の特徴部分と直接的に関係ない部分であるため、詳細については省略する。
【００２５】
各台基板２は、各スロットマシン１のイン枚数やアウト枚数に関する情報、さらには、大当りや確変情報などの稼動情報を示す電気信号を各スロットマシン１に取り付けられた各種センサから得て、その電気信号をそのまま又は決められた形式の電気信号に変換して島ＣＰＵ５に出力する周知のものである。この各台基板２により、後述するように補助基板４から出力されたスロットマシン１の設定値等に関する情報を示す電気信号を受け取り、その電気信号をそのまま又は決められた形式の電気信号に変換して島ＣＰＵ５に出力する。
【００２６】
設定読取センサ３は、スロットマシン１の設定値、つまりボーナスゲームの確率を段階的に変化させる１〜６の設定値の読み取りなど、設定値に関する各種異常に関する情報を取得するためのものである。この設定読取センサ３の具体的な役割について図３を参照して具体的に説明する。
【００２７】
図３は、設定読取センサ３を各スロットマシン１に取り付けた様子を示した模式図である。この図に示すように、スロットマシン１には、設定値を設定するためのスイッチ１０と、スイッチ１０の押下に応じた設定値を記憶する設定値記憶部１１と、設定値記憶部１１から出力される電気信号に基づいて設定値の表示を行う７セグメント１２とが備えられている。スイッチ１０が押下されると、それに対応して設定値記憶部１１で記憶される設定値が変化し、設定値記憶部１１から記憶された設定値を示す電気信号が出力されることで、その設定値が７セグメント１２に表示されるように構成されている。
【００２８】
設定読取センサ３は、７セグメント１２に入力される電気信号を読み取ることで設定値の読み取りや電源のＯＮ・ＯＦＦ等、設定値に関して何らかの異常が発生したことを検出し、検出される毎にその異常内容に応じた出力信号を発生させる。図３中に示すように、スロットマシン１には、７セグメント１２に電気信号を入力する配線１３から分岐した端子１４、つまり７セグメント１２に入力される電気信号を得るための端子１４が備えられており、この端子１４に設定読取センサ３の端子１５が接続されている。このため、設定読取センサ３に設定値を示す電気信号が入力されるようになっている。設定読取センサ３は、この設定値を示す電気信号を入力信号として、電源のＯＮ・ＯＦＦ、設定値、設定確認、電源エラー、センサエラー、読取エラー等の各種異常の発生を認識する。
【００２９】
設定値を示す電気信号は、例えば、スロットマシン１の電源がＯＮされると出力され、ＯＦＦされると出力されない。つまり、電源がＯＦＦからＯＮに切り替わると、設定値を示す電気信号が出力され、電源がＯＮからＯＦＦに切り替わると設定値を示す電気信号が出力されない。このため、電気信号の立上り時に電源ＯＮを認識し、電気信号の立下がり時に電源ＯＦＦを認識する。
【００３０】
また、設定値の認識は、電気信号そのものが表す設定値を読み取ることにより行われる。設定確認は、設定読取センサ３側で設定値を確認すべきタイミングの時に自動的に行われるものであり、例えば、電源がＯＮからＯＦＦに切り替えられたタイミングや、電源がＯＦＦからＯＮに切り替えられたタイミングで行われる。つまり、設定値が変更される可能性があるときに設定確認が行われる。電源エラーは、設定読取センサ３に電源が投入されたときに、通常起動に必要とされる時間が経過しても設定読取センサ３が正確に起動しないときに認識される。なお、設定読取センサ３の電源は、基本的にパチンコ店の営業時間内だけでなく営業時間外にもＯＮされたままにされるが、最初の起動時等にこの電源エラーが発生する可能性がある。
【００３１】
また、設定読取センサ３に設定値を示す電気信号が入力されているものの、設定読取センサ３自身が何らかの故障により設定値の読み取り等が行えなくなっている場合には、センサエラーと認識する。さらに、設定読取センサ３に設定値を示す電気信号が入力され、設定読取センサ３自身には故障が認められないものの、電気信号から設定値等の読み取りが行えなかった場合には、読取エラーと認識する。
【００３２】
そして、設定読取センサ３は、上記各種認識を行うと、それに応じたパルス数の出力信号を設定値に関する各種情報を示す信号として出力する。例えば、電源ＯＮの場合には１パルス、電源ＯＦＦの場合には２パルス、設定値１〜６はそれぞれ３〜８パルス、設定確認は９パルス、電源エラーは１０パルス、センサエラーは１１パルス、読取エラーは１２パルスとされる。なお、設定値に関する各種情報を示す信号を出力するに際し、各設定読取センサ３のＩＤ情報と共に出力すれば、中継サーバ６でどのスロットマシン１の情報か読み取ることが可能となる。勿論、上述した各台基板２において、設定読取センサ３から送られてきた信号にＩＤ情報を添付するようにしても良い。
【００３３】
補助基板４は、設定読取センサ３の出力する信号を受け取り、各台基板２に出力するものであり、各台基板２も、この補助基板４から受け取った信号をそのまま島ＣＰＵ５に出力するようになっている。なお、本実施形態では、設定読取センサ３および補助基板４を備えることで、各スロットマシン１の設定値に関する電気信号を得るようにしているが、補助基板４は必ずしも必要であるという訳ではなく、各台基板２により補助基板４の役割を果たさせても良い。
【００３４】
島ＣＰＵ５は、機種別に並べられたスロットマシン１の島ごとに備えられている制御装置である。この島ＣＰＵ５は、ＬＡＮを通じて各台基板２からの各種稼動情報を示す電気信号および設定値に関する各種情報を示す信号を受け取り、その各種稼動情報を必要に応じて処理したのち中継サーバ６に送る役割を果たす。
【００３５】
中継サーバ６は、ＣＰＵ、ＲＡＭ、ＲＯＭなどのメモリおよびＩ／Ｏなどを有する周知のマイクロコンピュータによって構成されている。この中継サーバ６は、ＬＡＮを通じて各島ＣＰＵ５からの電気信号を受け取り、電気信号に示されるパルス数の読み取りを行うと共に、そのパルス数を示す電気信号をホールコンピュータ７に出力する。
【００３６】
なお、中継サーバ６では、島ＣＰＵ５から送られてきた電気信号が通常のパルス波形でなかった場合に、設定読取センサ３に接続された配線が断線したと判定することもできる。例えば、図４（ａ）に示すように、設定読取センサ３から定常状態がハイレベルで設定値に関する情報が出力されるときにローレベルのパルスとされる電気信号が出力されるようにし、かつ、パルス幅およびパルス間隔を５０ｍｓに設定する。この場合、図に示すように、電源ＯＦＦになると２パルスが５０ｍｓの間隔を空けて連続して出力される。また、例えば、電源ＯＦＦにされた後、即座に電源ＯＮにされた場合のように、設定値に関する情報が連続した場合には、例えば１秒間ウェイトされる。したがって、図４（ｂ）に示すように、パルス幅以上にローレベルが続いた場合には、設定読取センサ３に繋がる配線が断線したと判定することができる。この場合には、電気信号に示されるパルス数を１〜１２以外の数もしくはパルス数無しを示す電気信号をホールコンピュータ７に出力することができる。
【００３７】
ホールコンピュータ７は、監視用表示部７１や遊技台データ表示部７２等を備えた構成とされている。
【００３８】
監視用表示部７１は、入力装置７１ａやＣＰＵ、ＲＡＭ、ＲＯＭなどのメモリおよびＩ／Ｏを有する周知のマイクロコンピュータ７１ｂとディスプレイ７１ｃとを有して構成されている。監視用表示部７１は、入力装置７１ａから各スロットマシン１毎に予め決めた設定値を入力できるようになっていると共に、それをメモリに記憶している。また、監視用表示部７１は、中継サーバ６から送られる電気信号に基づき、補助基板４、各台基板２および島ＣＰＵ５を通じて送られてきた設定読取センサ３の電気信号のパルス数を取得する。そして、取得したパルス数が１パルスであれば電源ＯＮ、２パルスであれば電源ＯＦＦ、３〜８パルスであれば設定値１〜６、９パルスであれば設定確認、１０パルスであれば電源エラー、１１パルスであればセンサエラー、１２パルスであれば読取エラーがそれぞれ発生したと判定する。また、取得したパルス数が１〜１２以外の数、もしくはパルス数無しであれば、断線が発生したと判定する。そして、それぞれの発生回数を図示しないカウンタに記憶すると共に、日付や時刻と共に、スロットマシン１の機種および台番と発生した異常内容やその回数をディスプレイ７１ｃに表示させる処理を行う。なお、これらの処理に関しては、後で詳細に説明する。
【００３９】
また、監視用表示部７１は、判定した各スロットマシン１の設定値、つまり設定読取センサ３が読み取った各スロットマシン１の設定値が、監視用表示部７１に記憶された予め決めた設定値と一致しているか否かの判定を行う。そして、これらが一致していなければ、スロットマシン１の台番を記憶し、その台番および設定値がディスプレイ７１ｃに表示されるようにするという処理も行う。例えば、警報情報として、ディスプレイの画面中に各島に配置されたスロットマシン１の機種名と共に、各スロットマシン１の台番と対応させて各スロットマシン１の異常に関する情報（例えば、異常内容、回数、数値）を表示する。また、警報履歴を表示することもでき、例えば、日付けや時刻と共に、機種名や台番と対応付けてスロットマシン１の異常に関する情報を表示する。警報履歴は、例えば、２４時間分、すなわち当日から前日までの警報管理を行うものにしてある。この処理に関しても、後で詳細に説明する。
【００４０】
遊技台データ表示部７２は、ＣＰＵ、ＲＡＭ、ＲＯＭなどのメモリおよびＩ／Ｏを有する周知のマイクロコンピュータ７２ｂとディスプレイ７２ａとを有して構成されている。遊技台データ表示部７２のマイクロコンピュータ７２ｂは、ＬＡＮを通じて監視用表示部７１のメモリに記憶された内容、すなわち判定結果や予め決めた設定値等のデータを受け取り、受け取った判定結果や設定値等のデータを履歴データとして記憶すると共に、その内容に基づいて、ディスプレイの画面中に各島に配置されたスロットマシン１の機種名と共に、各スロットマシン１の台番と対応させて各スロットマシン１の現在の設定値を示したり、以前の設定値と現在の設定値とを比較して示す。また、異常に関する情報が送られてきた回数も各スロットマシン１の台番と対応させて表示する。さらに、記憶した履歴データを元に、より詳細化したデータの表示を行う。
【００４１】
例えば、電気信号のパルス数が３〜８であった場合には、そのパルス数から２を差し引いた値が設定値として認識されるが、設定値を示すパルス数に変化があれば、設定値変更が為されたと認識できる。通常、設定値変更は、電源が一度ＯＮからＯＦＦに切り替えられた後、さらにＯＮにされたときに行われるため、電源がＯＦＦのまま設定値変更が為されるのは異常と考えられる。そして、上述したように、設定値が変更される可能性があるときに設定確認が行われるようにしているため、この設定確認のときに設定値変更が認識されればその変更は正常であると判定でき、設定確認ではないときに設定値変更が認識されればその変更は異常であると判定できる。したがって、電源のＯＮ・ＯＦＦの切り替えや設定確認、設定値変更等のデータを表示することで、指示者Ｐ１が設定値変更が正常に行われたものであるか、異常な状態で行われたものであるかを確認できるようにすることができる。
【００４２】
以上のように、本実施形態のパチンコ店におけるスロットマシン設定値管理システムが構成されている。続いて、このようなスロットマシン設定値管理システムおける作動について、図５および図６を参照して説明する。
【００４３】
図５は、監視用表示部７１で実行される出力パルス取得処理を示したフローチャート、図６は、遊技台データ表示部７２で実行される設定照合処理のフローチャートである。まず、図５を参照して出力パルス取得処理について説明する。
【００４４】
出力パルス取得処理は、監視用表示部７１において所定の演算周期毎に繰り返し実行されるもので、中継サーバ６から送られてくる各スロットマシン１毎の設定読取センサ３の出力信号のパルス数、つまり各スロットマシン１の設定値に関する信号のパルス数に基づいて、各スロットマシン１毎に別々に実行される。なお、どのスロットマシン１と対応するかに関しては、例えば、設定読取センサ３の出力する信号に付されたＩＤ情報もしくは各台基板２にて設定読取センサ３の出力する信号に付したＩＤ情報に基づいて認識することができる。
【００４５】
まず、ステップ１００では、中継サーバ６から送られる各スロットマシン１の設定値に関する信号のパルス数を取得する。すなわち、設定読取センサ３の出力信号が補助基板４や各台基板２および島ＣＰＵ５を通じて中継サーバ６に伝えられると、中継サーバ６にてその信号に示されたパルス数が読み取られ、中継サーバ６からそのパルス数を示す信号が監視用表示部７１に送られてくるため、それを取得する。なお、本処理でパルス数の読み取りを行っているが、同じパルス数の信号が継続的に取得される場合には、そのパルス数を取得していないものとしたり、パルス数を１〜１２以外の数であって断線のときの数とは異なる数とするなどの処理が行われるようにしており、そのパルス数の信号が最初に来たときにのみ、そのパルス数の信号を取得したものとしている。
【００４６】
そして、ステップ１０５に進み、パルス数が１であるか否かを判定する。ここでパルス数が１であれば、ステップ１１０に進み、電源ＯＮが発生したものとして、監視用表示部７１に備えられた電源ＯＮの回数をカウントする図示しないカウンタをインクリメントし、そのカウント値を保存しておく。また、ここで否定判定されればステップ１１５に進む。
【００４７】
ステップ１１５では、パルス数が２であるか否かを判定する。ここでパルス数が２であれば、ステップ１２０に進み、電源ＯＦＦが発生したものとして、監視用表示部７１に備えられた電源ＯＦＦの回数をカウントする図示しないカウンタをインクリメントし、そのカウント値を保存しておく。また、ここで否定判定されればステップ１２５に進む。
【００４８】
ステップ１２５では、パルス数が３〜８であるか否かを判定する。上述したように、同じパルス数の信号が継続的に取得される場合には、そのパルス数の信号が最初に来たときにのみ、そのパルス数の信号を取得したものとしている。つまり、このステップで肯定判定されるのは設定値変更があったときや、電源ＯＦＦなどにより設定値を示すパルス数の信号が途絶えた後に再びその信号を取得したとき等に限定される。したがって、設定値変更があった場合には、それが正常に行われたものであるか否かを判定する必要がある。
【００４９】
このため、ステップ１２５で肯定判定された場合には、ステップ１３０に進み、設定確認フラグがＯＮされているか否かを判定する。設定確認フラグとは、設定確認が発生したとき、つまり設定値変更が行われる可能性があるときにＯＮされるフラグである。具体的には、後述するステップ１５０に進むとＯＮされる。この設定確認フラグがＯＮされている場合には、設定値変更が行われていても、それが正常な設定値変更であると想定される。従って、ステップ１３５を飛ばしてステップ１４０に進み、設定値の確認を行う。すなわち、読み取ったパルス数から２減算した値を設定値として認識し、それを保存する。
【００５０】
一方、ステップ１２５で否定判定された場合、設定値変更が不正に行われた可能性がある。このため、ステップ１３５に進み、設定値変更が発生したものとして、監視用表示部７１に備えられた設定値変更の回数をカウントする図示しないカウンタをインクリメントし、そのカウント値を保存しておく。その後、ステップ１４０に進み、上記と同様の手法により設定値の確認を行う。
【００５１】
また、パルス数が３〜８でなければ、ステップ１４５に進み、パルス数が９であるか否かを判定する。ここでパルス数が９であれば、ステップ１５０に進み、設定確認が発生したとして、確認フラグをＯＮすると共に、監視用表示部７１に備えられた設定確認の回数をカウントする図示しないカウンタをインクリメントし、そのカウント値を保存しておく。また、ここで否定判定されればステップ１５５に進む。
【００５２】
ステップ１５５では、パルス数が１０であるか否かを判定する。ここでパルス数が１０であれば、ステップ１６０に進み、電源エラーが発生したものとして、監視用表示部７１に備えられた電源エラーの回数をカウントする図示しないカウンタをインクリメントし、そのカウント値を保存しておく。また、ここで否定判定されればステップ１６５に進む。
【００５３】
ステップ１６５では、パルス数が１１であるか否かを判定する。ここでパルス数が１１であれば、ステップ１７０に進み、センサエラーが発生したものとして、監視用表示部７１に備えられたセンサエラーの回数をカウントする図示しないカウンタをインクリメントし、そのカウント値を保存しておく。また、ここで否定判定されればステップ１７５に進む。
【００５４】
ステップ１７５では、パルス数が１２であるか否かを判定する。ここでパルス数が１２であれば、ステップ１８０に進み、読取エラーが発生したものとして、監視用表示部７１に備えられた読取エラーの回数をカウントする図示しないカウンタをインクリメントし、そのカウント値を保存しておく。また、ここで否定判定されればステップ１００に戻り、上述した各処理を繰り返す。
【００５５】
なお、上述したように、断線が発生したときに、パルス数無しもしくはパルス数が１〜１２以外の数とされるようにする場合、図５に対して断線に該当するパルス数を判定するステップを挿入すれば、断線発生およびその回数も認識することができる。また、同じパルス数の信号が継続して出力されている場合に、パルス数を取得していないとしたり、もしくはパルス数が１〜１２以外の数であって断線のときの数とは異なる数としているため、ステップ１２５等で否定判定される。したがって、設定値変更がされていない場合に連続して同じ設定値を示す信号が設定読取センサ３から出力されたとしても、設定変更発生と認識されることはない。
【００５６】
以上説明した出力パルス取得処理により、スロットマシン１毎に電源ＯＮ、電源ＯＦＦ、設定値変更、設定確認、電源エラー、センサエラー、読取エラーの発生を認識すると共に、その回数を認識することができる。そして、スロットマシン１の台番と対応付けて、異常の発生事実や発生回数に加え、発生内容および発生日時をデータとして保存することが可能となる。そして、これらのデータを監視用表示部７１のディスプレイ７１ｃに、各データを表示する。
【００５７】
図７は、ディスプレイ７１ｃでの表示内容の一例を示したものであり、図７（ａ）は、警報画面の一例、図７（ｂ）は、警報履歴画面の一例を示したものである。
【００５８】
図７（ａ）に示すように、何らかの異常が発生した場合には、日付や時刻と共に、異常が発生したスロットマシン１の機種および台番と発生した異常内容やその回数を表示することができる。これにより、パチンコ店の指示者Ｐ１は、ディスプレイ７１ｃを確認することで、どのスロットマシン１に何時、どのような異常が何回発生したかを確認することが可能となる。
【００５９】
また、図７（ｂ）に示すように、何らかの異常が発生するたびに、日付や時刻と共に、スロットマシン１の機種および台番と発生した異常内容やその回数の履歴を表示することができる。このため、その履歴を見て、指示者Ｐ１は、設定値変更の作業内容（作業手順）を確認できると共に、その設定値変更が意図しないものであるか否かを確認することが可能となる。
【００６０】
続いて、図６を参照して、遊技台データ表示部７２で実行される設定照合処理について説明する。本処理は、遊技台データ表示部７２において各スロットマシン１毎に繰り返し実行されるもので、監視用表示部７１が上述した出力パルス取得処理により取得したスロットマシン１の台番と対応付けた設定値、異常の発生事実や発生回数、発生内容および発生日時のデータを遊技台データ表示部７２が読み出し、そのデータに基づいて実行される。
【００６１】
まず、ステップ２００では、各スロットマシン１の設定指示データの読み込みを行う。各スロットマシン１の設定指示データは、パチンコ店において、指示者Ｐ１により事前に入力してあるため、その入力済みのデータを読み取ることにより本処理が行われる。
【００６２】
次に、ステップ２０５では、スロットマシン１の全台に関して設定値に関するチェックが完了しているか否かを判定する。例えば、設定照合処理を行う順番は決められるため、後述するステップ２２０で記憶された台番が、設定照合処理を最後に実行するスロットマシン１の台番になったか否かを判定することにより、全台完了しているか否かの判定を行うことができる。勿論、パチンコ店内に装備されたスロットマシン１の数は予め分かっているため、例えばステップ２２０に進むたびにチェック台数をカウントするためのカウンタのカウント値をインクリメントするようにし、そのカウント値がスロットマシン１の全台数に達したか否かを判定することにより、全台完了しているか否かの判定を行うようにしても良い。ここで否定判定された場合には、ステップ２１０に進む。
【００６３】
ステップ２１０では、今回の設定照合を行う該当番台のスロットマシン１の設定指示データと読取設定データが一致しているか否かを判定する。設定指示データは、上述したステップ２００で読み込まれたデータ、すなわちパチンコ店において指示者Ｐ１が予め入力しておいた設定値のデータのことである。読取設定データは、上記出力パルス取得処理により取得したスロットマシン１の台番と対応付けた設定値のデータのことである。このように、本処理により、指示者Ｐ１が予め入力しておいた設定すべき設定値と、実際に設定読取センサ３にて検出した設定値とが照合される。ここで一致していれば、そのままステップ２０５に戻って処理を繰り返し、一致していなければステップ２１５に進む。
【００６４】
ステップ２１５では、設定変更帳票の該当台番を行を強調表示し、チェックを入れる処理を行う。図８は、設定変更チェックリストの一例を示した図である。この図に示すように実際に設定読取センサ３にて検出した設定値（読取設定）と、指示者Ｐ１が指示する設定値（指示設定）が同じであればチェック欄を○にし、異なっていれば×にすると共にそのスロットマシン１の台番のデータを太枠で囲むなど強調表示する。その後、ステップ２２０に進み、マイクロコンピュータ７２ｂのメモリに、本処理を行ったスロットマシン１の台番を記憶させたのち、ステップ２０５からの処理を繰り返す。
【００６５】
一方、全台チェックが完了し、上述したステップ２０５において肯定判定されると、設定変更チェックリストとしてリスト化し、遊技台データ表示部７２のディスプレイ７２ｃに、設定変更チェックリストを表示する。
【００６６】
図９および図１０は、ディスプレイ７２ｃでの表示内容の一例を示したものであり、図９は、設定変更チェックリストの表示画面の一例、図１０は、設定変更履歴画面の一例を示したものである。
【００６７】
図９の左側の表に示すように、各スロットマシン１の機種別に、台番毎に、順に、現在の設定値を設定の欄、現在の設定値の変更前後の関係を情報内容の欄、異常発生の回数を情報の欄にそれぞれ表示している。また、参照用として、前日（０６年６月１１日）の同じ内容を前日の日にちと対応させて表示すると共に、前々日（０６年６月１０日）の同じ内容を参考として前々日の日にちと対応させて表示するようにしている。そして、例えば、設定読取センサ３で読み取った現在の設定値と指示者Ｐ１が予め入力しておいた設定値とが一致していなければ、必要に応じて、その台番の行を色付けするなどの強調表示を行うことで、指示者Ｐ１が一見して設定値の異常を検出できる表示とすることもできる。
【００６８】
また、図９の右側の表に示すように、指示者Ｐ１が設定値の変更などを行いたい場合には、そのスロットマシン１の台番を入力し、変更することができる。その場合、スロット情報として、変更前の設定値と変更後の設定値を表示することができる。
【００６９】
さらに、指示者Ｐ１が予め入力しておいた設定値を反映して、設定値の変更などを行いたい場合にも、そのスロットマシン１の台番を入力すれば、自動的にそれが反映された設定値に変更された形で変更前の設定値と変更後の設定値を表示することができる。
【００７０】
また、図１０に示すように、スロットマシン１の機種毎に、指示者Ｐ１が予め入力しておいた設定値（指示設定）と設定読取センサ３で検出した設定値（読取設定）とを比較し易くするために、これらの表示と以前に設定されていた設定値から現在の指示値への変更履歴、さらには設定値が変更されたときの異常の発生回数や異常内容を時系列的に表示することもできる。このような表示とすることで、仮に、指示設定と読取設定とが一致していなかったときに、時系列的に表示された異常内容を確認することで、その異常の発生原因を認識することが可能となる。
【００７１】
以上説明したように、本実施形態では、設定読取センサ３にて実際に設定されている設定値を読み取り、それを保存して表示するようにしている。これにより、指示者Ｐ１が予めホールコンピュータ７に入力しておいた設定値と、設定読取センサ３にて読み取った実際に設定されている設定値とを照合し、これらが一致しているか否かを確認することが可能となる。このため、指示者Ｐ１が実際に設定されている設定値を１つ１つ手動入力しなくても、設定者Ｐ２が実際に入力した設定値を確認したり、設定者Ｐ２が設定値を調整した後に不正により設定値が変更されたような場合にも、その設定値変更を確認することが可能となる。
【００７２】
このため、設定値の手動入力の手間を省くことによる作業効率の向上と、入力ミスの低減を図ることが可能となり、データの信頼性を向上させることが可能となる。
【００７３】
また、このように設定読取センサ３を用いてスロットマシン１の設定値の変更を確認することが可能となるため、営業時間中だけでなく、営業時間外にも、つまり２４時間いつであってもスロットマシン１の設定値を監視することが可能となる。
【００７４】
（第２実施形態）
本発明の第２実施形態について説明する。上記第１実施形態では、各パチンコ店の店舗ごとにスタンドアロン形式でスロットマシン１の設定値の確認を行う場合について説明したが、本実施形態では、パチンコ店の本部でスロットマシン１の設定値の確認を行っている通信システム連動リモート指示形式に対して本発明の一実施形態を適用した場合について説明する。
【００７５】
図１１は、本実施形態が適用される通信システム連動リモート指示形式を表した模式図である。この図に示すように、本実施形態は、パチンコ店の本部の管理者がスロットマシン１の設定値の指示者Ｐ１となり、本部の通信システム２０から店舗側のホールコンピュータ７に各スロットマシン１の設定値を指示する設定指示データを送信する。そして、この設定指示データに基づいて設定者Ｐ２にスロットマシン１の設定値の設定を実際に行わせたのち、スロットマシン１の設定値を読み取り、さらに、ホールコンピュータ７において読み取った設定値と設定指示データが示す設定値との照合などを行う。その後、ホールコンピュータ７での処理結果を示すデータを本部の通信システム２０で受信することで、本部側で指示者Ｐ１が通信システム２０のディスプレイを通じて、店舗側の各スロットマシン１の設定値が指示者Ｐ１の指示した通りの設定値に調整されているか否かを確認できるようにしている。
【００７６】
このような形態とされる場合、スロットマシン設定値管理システムの構成はほぼ第１実施形態と変わらないが、本部の通信システム２０が加わり、ホールコンピュータ７が本部の通信システム２０と通信が行える形態とされること、ホールコンピュータ７で実行される処理が多少変わることが第１実施形態と異なる。このため、ここでは第１実施形態と異なるホールコンピュータ７で実行される処理、具体的には遊技台データ表示部７２で実行される設定照合処理について説明する。図１２は、遊技台データ表示部７２で実行される設定照合処理のフローチャートである。
【００７７】
まず、ステップ３００では、各スロットマシン１の設定指示データの受信を行う。本部において、指示者Ｐ１により通信システム２０に対して事前に各スロットマシン１の設定指示データが入力され、その設定指示データが送信されるため、そのデータを受信することにより本処理が行われる。
【００７８】
この後、ステップ３０５〜３２５において、第１実施形態の図５に示すステップ２０５〜２２５の処理と同様の処理を実行し、設定変更チェックリストを作成する。そして、この設定変更チェックリストのデータを通信システム２０側に送信するという処理を実行する。
【００７９】
これにより、通信システム２０で設定変更チェックリストを表示することが可能となり、本部側で指示者Ｐ１が通信システム２０のディスプレイを通じて、店舗側の各スロットマシン１の設定値が指示者Ｐ１の指示した通りの設定値に調整されているか否かを確認することが可能となる。このように、通信システム連動リモート指示形式としても、上記第１実施形態と同様の効果を得る事ができると共に、指示者Ｐ１が本部から各店舗に行かなくても各スロットマシン１の設定値を指示できると共に、その設定値に正しく調整されているか否かを確認することが可能となる。
【００８０】
（第３実施形態）
本発明の第３実施形態について説明する。本実施形態では、通信システム連動リモート指示形式に対して、より設定セキュリティを重視する場合について説明する。
【００８１】
上記第２実施形態では、本部の通信システム２０から店舗のホールコンピュータ７に設定指示データを送信し、ホールコンピュータ７内において、指示者Ｐ１が指示した設定値と実際の設定値との照合を行うようにしたが、本実施形態では、その照合を本部の通信しシステム２０で行うようにする。
【００８２】
図１３は、本実施形態が適用される通信システム連動リモート指示形式を表した模式図である。この図に示すように、本部の通信システム２０から店舗側のホールコンピュータ７に各スロットマシン１の設定値を指示する設定指示データを送信し、この設定指示データに基づいて設定者Ｐ２にスロットマシン１の設定値の設定を実際に行わせたのち、スロットマシン１の設定値を読み取るという手順は第２実施形態と同様である。ただし、本実施形態では、スロットマシン１の設定値を読み取った後、その設定値のデータを本部の通信システム２０に送り、それを通信システム２０で受信することで、本部側で指示者Ｐ１がホールコンピュータ７側に予め入力しておいた設定値と照合する。これにより、本部の通信システム２０でのみ照合結果が確認できるようにすることができる。
【００８３】
このような形態とすることで、店舗側で照合結果を確認できないようにすることが可能となり、より設定セキュリティを向上させることが可能となる。なお、このような形態とされた場合、ホールコンピュータ７は、中継サーバ６から送られてくるパルス数を示した電気信号を収集したデータを通信システム２０に送るという処理を実行するだけで良い。
【００８４】
（他の実施形態）
上記各実施形態では、各スロットマシン１の実際に調整された設定値や、異常の発生事実や発生回数に加え、発生内容および発生日時をデータとして保存し、これらを図６〜図９に示す態様で表示する例を説明したが、これらは単なる一例であり、他の態様の表示としても構わない。
【００８５】
また、ホールコンピュータ７を監視用表示部７１と遊技台データ表示部７２の２つに分けた場合について説明したが、１つのコンピュータとされていても構わない。また、中継サーバ６やホールコンピュータ７の役割を記載したが、これらの役割を行う場所を特定するものではない。
【図面の簡単な説明】
【００８６】
【図１】本発明の第１実施形態におけるスロットマシン設定値管理システムの導入形態を表した模式図である。
【図２】第１実施形態が適用されるパチンコ店におけるスロットマシン設定値管理システムの全体構成を示した図である。
【図３】設定読取センサを各スロットマシンに取り付けた様子を示した模式図である。
【図４】（ａ）は、設定値に関する情報が連続した場合のタイミングチャートであり、（ｂ）は、断線が発生した場合のタイミングチャートである。
【図５】監視用表示部で実行される出力パルス取得処理を示したフローチャートである。
【図６】遊技台データ表示部で実行される設定照合処理のフローチャートである。
【図７】監視用表示部のディスプレイの表示画面の一例を示した図であり、（ａ）は、警報画面の一例を示した図、（ｂ）は、警報履歴画面の一例を示した図である。
【図８】設定変更チェックリストの一例を示した図である。
【図９】遊技台データ表示部のディスプレイで表示する設定変更チェックリストの表示画面を示した図である。
【図１０】遊技台データ表示部のディスプレイで表示する設定変更履歴画面を示した図である。
【図１１】本発明の第２実施形態におけるスロットマシン設定値管理システムの導入形態を表した模式図である。
【図１２】遊技台データ表示部で実行される設定照合処理で実行される処理のフローチャートである。
【図１３】本発明の第３実施形態におけるスロットマシン設定値管理システムの導入形態を表した模式図である。
【符号の説明】
【００８７】
１…スロットマシン、２…各台基板、３…設定読取センサ、４…補助基板、５…島ＣＰＵ、６…中継サーバ、７…ホールコンピュータ、１０…スイッチ、１１…設定値記憶部、１２…７セグメント、１３…配線、１４、１５…端子、１５…端子、２０…通信システム、７１…監視用表示部、７１ａ…入力装置、７１ｂ…マイクロコンピュータ、７１ｃ…ディスプレイ、７２…遊技台データ表示部、７２ａ…ディスプレイ、７２ｂ…マイクロコンピュータ、７２ｃ…ディスプレイ。
【図１】
2008161263.tif 000003
【図２】
2008161263.tif 000004
【図３】
2008161263.tif 000005
【図４】
2008161263.tif 000006
【図５】
2008161263.tif 000007
【図６】
2008161263.tif 000008
【図７】
2008161263.tif 000009
【図８】
2008161263.tif 000010
【図９】
2008161263.tif 000011
【図１０】
2008161263.tif 000012
【図１１】
2008161263.tif 000013
【図１２】
2008161263.tif 000014
【図１３】
2008161263.tif 000015